(57)【要約】【課題】光出射面の明るさの均斉化を図りつつ、小型化が可能な照明装置を提供すること。【解決手段】照明装置１は、第１光入射面１２と、第１光入射面１２から入射された光を正面の側に出射させる第１光出射面１３とを有する導光板１４と、第１光入射面１２に光を入射させるＬＥＤ光源９と、第１光出射面１３の側に配置され、第１光出射面１３から出射された光が入射される第２光入射面１５と、第２光入射面１５から入射した光が出射される第２光出射面１６とを有する光拡散板２と、を有する。照明装置１は、光拡散板２に対向するように設けられる外装筐体３を有し、光拡散板２の外周縁から外装筐体３側に向かって延出された光拡散板側壁部３８と、外装筐体３の外周縁から拡散板２側に向かって延出された外装筐体側壁部４とそれぞれに固定用係合部８０が設けられている。【選択図】図２
2017079134.tif 000002
【特許請求の範囲】
【請求項１】
外周側面と交差する方向から光を入射させることができる第１光入射面と、前記第１光入射面から入射された光を正面の側に出射させる第１光出射面とを有する導光板と、
前記第１光入射面に光を入射させるＬＥＤ光源と、
前記第１光出射面の側に配置され、前記第１光出射面から出射された光が入射される第２光入射面と、前記第２光入射面から入射した光が出射される第２光出射面とを有する光拡散板と、
前記導光板の前記外周側面の外側に配置される光反射部材と、
前記ＬＥＤ光源と前記導光板の前記第１光出射面との間に配置される光遮蔽部と、
前記導光板に対し前記光拡散板が配置される側とは反対側に配置される電気回路基板と、
前記電気回路基板を挟んで前記導光板の反対側に配置される電源と、
前記光拡散板に対して前記導光板、前記電気回路基板および前記電源を挟む側に配置される外装筐体と、
前記光拡散板の外周縁から前記外装筐体側に向かって設けられる光拡散板側壁部と、前記外装筐体の外装筐体側壁部とに、それぞれ設けられる固定用係合部と、
を有し、
前記光拡散板と前記外装筐体とにより形成される空間内に、前記導光板、前記ＬＥＤ光源、前記光反射部材、前記光遮蔽部材、前記電気回路基板および前記電源が収納される、
ことを特徴とする照明装置。
【請求項２】
請求項１に記載の照明モジュールにおいて、
前記導光板は、前記第１光射出面と反対側の面である背面の縁部に切欠き状の凹部を有し、
前記凹部の内側の側面が前記第１光入射面であり、
前記凹部内に前記ＬＥＤ光源が配置されている、
ことを特徴とする照明装置。
【請求項３】
請求項１または請求項２に記載の照明装置において、
前記電気回路基板は、前記導光板の背面に第１面を重ねるように配置されると共に、前記第１面に前記ＬＥＤ光源が実装される第１基板を有し、
前記導光板は、前記第１基板に向かって突設された少なくとも２つの突起部を備え、
前記第１基板は、前記突起部と対向する位置に凹部を備え、
前記突起部が前記凹部に嵌合している、
ことを特徴とする照明装置。
【請求項４】
請求項１から請求項３のいずれか１項に記載の照明装置において、
前記電源を枠の内側に配置する電源保持用枠部材を有し、
前記電源保持用枠部材は、前記外装筐体の内側に配設され、前記電気回路基板側に突設された突起部を有し、
前記電気回路基板は、前記光拡散板側壁部の先端部と、前記電源保持用枠部材の突起部の先端部との間に挟み込まれている、
ことを特徴とする照明装置。
【請求項５】
請求項１から請求項４のいずれか１項に記載の照明装置において、
前記光拡散板は、前記光拡散板側壁部と前記第２光入射面との接続部の内側に、前記第２光入射面より前記導光板の側に突出した段部を有し、
前記導光板は、前記段部と前記電気回路基板の間に挟み込まれている、
ことを特徴とする照明装置。
【請求項６】
請求項２から請求項５のいずれか１項に記載の照明装置において、
前記光反射部材は、内側に前記導光板が配設される光反射用枠体であり、
前記光反射用枠体の内周面は反射面であり、前記反射面は前記導光板の外周側面に対向し、
前記光遮蔽部は、前記光反射用枠部材の前端縁に前記導光板側に突出された片部として形成され、前記片部は前記導光板の前記凹部内に配置されている、
ことを特徴とする照明装置。
【請求項７】
請求項３に記載の照明装置において、
前記電気回路基板は、前記第１基板に対して前記導光板と反対側に所定の隙間を有して配置される第２基板を有し、
前記第１基板と前記第２基板とはコネクタにより互いに固定されるとともに電気的に接続され、
前記電源は、前記第２基板の前記第１基板が配置される側と反対側の面である背面に実装されている、
ことを特徴とする照明装置。
【請求項８】
請求項１から請求項７のいずれか１項に記載の照明装置において、
前記第２光出射面は、中心から順に頂面、接続面および外周側面を有し、
前記頂面は前記導光板の第１光出射面に対向する面であり、前記外周側面は円筒面であり、前記接続面は前記頂面と前記外周側面とを接続する面であり、
前記外装筐体の底部の外側の面は、前記導光板を挟んで前記光拡散板の第２光出射面と略対称の形状である、
ことを特徴とする照明装置
【請求項９】
請求項７に記載の照明装置において、
前記外装筐体の外側底面に、磁性材料で形成された板部材が取り付けられている、
ことを特徴とする照明装置。
【発明の詳細な説明】
【技術分野】
【０００１】
本発明は、照明装置に関する。
【背景技術】
【０００２】
ＬＥＤ（Light Emitting Diode）光源を用いた照明装置は、小型化が容易であること、消費電力が小さいこと、点灯による発熱が小さいことから、携帯したり、設置場所が限定されない小型の照明装置などに広く利用できる可能性を有している。たとえば、特許文献１には、スイッチＯＮにより、ＬＥＤ光源を点灯させるという簡単な構造の照明装置が開示されている。また、特許文献２には、電源およびスイッチ部材を有する本体部の先端にＬＥＤ光源を配置し、このＬＥＤ光源の周囲を略砲弾形状の光拡散体で覆う構造の照明装置が開示されている。
【先行技術文献】
【特許文献】
【０００３】
【特許文献１】実用新案登録第３０２８０１０号
【特許文献２】特開２００１−９３３０１号公報
【発明の概要】
【発明が解決しようとする課題】
【０００４】
特許文献１に記載の照明装置は、単純にスイッチ操作によってＬＥＤ光源を点灯したり、消灯したりするもので、ＬＥＤ光源からの光が照明装置の一部からそのまま外部に出射される、いわゆる点光源であって、照明装置としては十分な明るさが得られない。また、点光源であることから周囲を明るく照らすことができず、設置場所や使用シーンなどが限定されるという問題がある。
【０００５】
また、特許文献２に記載の照明装置は、光拡散体によって、光の出射方向の前方から見て外周全周、すなわち外周方向３６０度方向に光を出射できるようにしているが、ＬＥＤ光源から光出射面までの距離は位置によって差があるため、光出射面が均一の明るさにならない。さらに、この照明装置は、光拡散体を設けることによって、直径に対して数倍の長さの筒形状（棒状）となるため、テーブルなど平坦な場所に設置場所が限定されたり、取付け対象物などが限定されたりしてしまうという問題がある。
【０００６】
本発明は、かかる課題に鑑みてなされたものであり、その目的とするところは、光出射面の明るさの均斉化を図りつつ、小型化が可能な照明装置を提供しようとするものである。
【課題を解決するための手段】
【０００７】
上記課題を解決するために、本発明の照明装置は、外周側面と交差する方向から光を入射させることができる第１光入射面と、第１光入射面から入射された光を正面の側に出射させる第１光出射面とを有する導光板と、第１光入射面に光を入射させるＬＥＤ光源と、第１光出射面の側に配置され、第１光出射面から出射された光が入射される第２光入射面と第２光入射面から入射した光が出射される第２光出射面とを有する光拡散板と、導光板の外周側面の外側に配置される光反射部材と、ＬＥＤ光源と導光板の第１光出射面との間に配置される光遮蔽部と、導光板に対し光拡散板が配置される側とは反対側に配置される電気回路基板と、電気回路基板を挟んで導光板の反対側に配置される電源と、光拡散板に対して導光板、電気回路基板および電源を挟む側に配置される外装筐体と、光拡散板の外周縁から外装筐体側に向かって設けられる光拡散板側壁部と、外装筐体の外装筐体側壁部とに、それぞれ設けられる固定用係合部と、を有し、光拡散板と外装筐体とにより形成される空間内に、導光板、ＬＥＤ光源、光反射部材、光遮蔽部材、電気回路基板および電源が収納される、こととする。
【０００８】
また、上記発明に加えて、導光板は、第１光射出面と反対側の面である背面の縁部に切欠き状の凹部を有し、凹部の内側の側面が第１光入射面であり、凹部内に前記ＬＥＤ光源が配置されている、ことが好ましい。
【０００９】
また、上記発明に加えて、電気回路基板は、導光板の背面に第１面を重ねるように配置されると共に、第１面にＬＥＤ光源が実装される第１基板を有し、導光板は、第１基板に向かって突設された少なくとも２つの突起部を備え、第１基板は、突起部と対向する位置に凹部を備え、突起部が凹部に嵌合している、ことが好ましい。
【００１０】
また、上記発明に加えて、照明装置は、電源を枠の内側に配置する電源保持用枠部材を有し、電源保持用枠部材は、外装筐体の内側に配設され、電気回路基板側に突設された突起部を有し、電気回路基板は、光拡散板側壁部の先端部と、電源保持用枠部材の突起部の先端部との間に挟み込まれている、ことが好ましい。
【００１１】
また、上記発明に加えて、光拡散板は、光拡散板側壁部と第２光入射面との接続部の内側に、第２光入射面より導光板の側に突出した段部を有し、導光板は、段部と電気回路基板の間に挟み込まれている、ことが好ましい。
【００１２】
また、上記発明に加えて、光反射部材は、内側に導光板が配設される光反射用枠体であり、光反射用枠体の内周面は反射面であり、反射面は前記導光板の外周側面に対向し、前記光遮蔽部は、前記光反射用枠部材の前端縁に前記導光板側に突出された片部として形成され、前記片部は前記導光板の前記凹部内に配置されている、ことが好ましい。
【００１３】
また、上記発明に加えて、電気回路基板は、第１基板に対して導光板と反対側に所定の隙間を有して配置される第２基板を有し、第１基板と前記第２基板とはコネクタにより互いに固定されるとともに電気的に接続され、電源は、第２基板の第１基板が配置される側と反対側の面である背面に実装されている、ことが好ましい。
【００１４】
また、上記発明に加えて、第２光出射面は、中心から順に頂面、接続面および外周側面を有し、頂面は導光板の第１光出射面に対向する面であり、外周側面は円筒面であり、接続面は頂面と外周側面とを接続する面であり、外装筐体の底部の外側の面は、導光板を挟んで光拡散板の第２光出射面と略対称の形状である、ことが好ましい。
【００１５】
また、本発明に加えて、外装筐体の外側底面に、磁性材料で形成された板部材が取り付けられている、ことが好ましい。
【図面の簡単な説明】
【００１６】
【図１】本発明の実施の形態に係る照明装置の１例を示す外観斜視図である。
【図２】図１のＡ−Ａ切断線で切断した断面図である。
【図３】本発明の実施の形態に係る導光板を示す図であり、（Ａ）は斜め後方側（背面側）から見た斜視図、（Ｂ）は後方側から見た背面図である。
【図４】図１のＢ−Ｂ切断線で切断した断面図である。
【図５】本発明の実施の形態に係る第１基板の構成を示す図で、（Ａ）は、第１基板を前方から見た正面図、（Ｂ）は、後方から見た背面図、（Ｃ）は、側面図である。
【図６】本発明の実施の形態に係る第１基板の第２面に実装されている回路素子の配置構成を示すレイアウト図である。
【図７】図１のＣ−Ｃ切断線で切断した断面図である。
【図８】本発明の実施の形態に係る第２基板の構成を示す図で、（Ａ）は、第２基板を前方から見た正面図、（Ｂ）は、後方から見た背面図、（Ｃ）は、側面図である。
【図９】本発明の実施の形態に係る第２基板の第３面に実装される回路素子の配置構成を示すレイアウト図である。
【図１０】本発明の実施の形態に係る照明装置の組立分解斜視図である。
【図１１】本発明の実施の形態に係るＬＥＤ光源から出射した光が、光拡散板の第２光出射面から出射するまでの光の経路を示す説明図である。
【発明を実施するための形態】
【００１７】
以下、本発明の実施の形態に係る照明装置１について、図面を参照しながら説明する。
【００１８】
図１は、照明装置１の１例を示す外観斜視図である。なお、以降説明する図面は、照明装置１の第２光出射面１６の中心軸Ｐに沿う光出射方向を前方（前方側）、その逆方向を後方（後方側または背面側）、中心軸Ｐに直交する方向を径方向として中心軸Ｐから遠ざかる方向を外方向（外側）、中心軸Ｐに近づく方向を内方向（内側）と記載して説明する。
【００１９】
図１に示すように、照明装置１は、全体として前後方向に扁平な円筒状の形状を有している。照明装置１は、前方側に内部に配置された光源部であるＬＥＤ光源９（図２参照）からの光を出射する光拡散板２を有し、後方側に外装筐体３を有している。外装筐体３の側壁部である外装筐体側璧部４と光拡散板２に設けられる光拡散板側壁部３８（図２参照）とは、径方向で重なり合う部分を有し、この重なり部分に、互いに係合する凹部３９と凸部４０とが設けられている（図２参照）。光拡散板２と外装筐体３とは、凹部３９と凸部４０とを係合させられることで一体化されている。外装筐体側壁部４の外周にはシール用リング部材５が嵌め込まれている。また、外装筐体側壁部４には、その内外を貫通するようにスイッチ部材６が配置されている。シール用リング部材５は、スイッチ部材６を覆うように外装筐体側壁部４に嵌め込まれる。ＬＥＤ光源９から出射した光は導光板１４（図２参照）を透過し光拡散板２に入射する。光拡散板２に入射した光は光拡散板２内で散乱された後、第２光出射面１６から出射する。ＬＥＤ光源９から出射された光は、光拡散板２内で拡散されているため、照度が均斉化されている。なお、図１に示す照明装置１は、直径が３０ｍｍ、厚さ（前後方向の幅）が１５ｍｍ程度のサイズのものを例示している。なお、光拡散板２、外装筐体３、シール用リング部材５およびスイッチ部材６などの構成は、図２以降の図面を参照して後述する。
【００２０】
図２は、図１のＡ−Ａ切断線で切断した断面図である。なお、Ａ−Ａ切断線は、中心軸ＰとＬＥＤ光源９の配置部を通る切断線である。図２に示すように、照明装置１は、ＬＥＤ光源９と、平板状の導光板１４を有している。導光板１４は、ＬＥＤ光源９から出射される光が入射される第１光入射面１２と、第１光入射面１２から入射された光を前方側（光拡散板２側）に出射する第１光出射面１３とを有している。第１光入射面１２は、導光板１４の外周側面１４Ａ（図３参照、凹部５０Ａ，５０Ｂ部分を除く外周側面）と交差する方向である径方向から導光板１４内に光を入射させることができる。なお、図３に示すように、導光板１４は、凹部５０Ａ，５０Ｂそれぞれの内側側面にも第１光入射面１２を有している。導光板１４の第１出射面１３側には、導光板１４との間に空間２Ａを有して光拡散板２が配置されている。光拡散板２は、第１出射面１３から出射された光を入射する第２光入射面１５と、第２光入射面１５から入射された光を出射する第２光出射面１６を有する。第２光出射面１６は、頂面７、接続面４８および外周側面４２を有する。
【００２１】
導光板１４の後方側（背面側）には、電気回路基板である第１基板１７が配置されている。図５に示すように、第１基板１７は、全体として円盤形状であるが、外周縁の一部分に切欠き部６６が形成されている。第１基板１７の導光板１４側の面である第１面１８には、ＬＥＤ光源９が実装されている。ＬＥＤ光源９は、中心軸Ｐを挟んで互いに対向するように２個備えられている（図３も参照する）。なお、ＬＥＤ光源９の数や配置位置は、これに限定されず、１個でも３個以上にしてもよい。３つ以上のＬＥＤ光源９を備える場合にも、中心軸Ｐに対して対称に（または、中心軸Ｐの周りに等角度で）配置することが好ましい。第１基板１７は、第１面１８が導光板１４の第１出射面１３に対して反対側の背面１９に密接するように配置されている。第１基板１７には、凹部として、前後方向に貫通する貫通孔２０，２１が設けられている。一方、導光板１４の背面１９側には、貫通孔２０，２１に挿入可能な突起部としての柱状突起部２２，２３が設けられている。第１基板１７と導光板１４は、第１基板１７側の貫通孔２０，２１に柱状突起部２２，２３を挿入し嵌合させることで、径方向および中心軸Ｐの周方向の位置が規定される。貫通孔２０，２１、柱状突起部２２，２３の構成は、各々図３および図５を参照して後述する。また、図２では省略しているが、第１基板１７の第１面１８に対して反対側（背面側）の第２面２７には、複数種類の回路素子が実装されている。これら回路素子の構成については、図５および図６を参照して後述する。
【００２２】
第１基板１７の後方側には、第１基板１７から所定の間隔を開けて第２基板２５が配置されている。該所定の間隔は、後述するように、第１基板１７の第２面２７と第２基板２５の第３面２８との間に、回路素子群Ｃ１と回路素子群Ｃ２とを備えることができる間隔である。第２基板２５は第１基板１７と同様に全体として円盤形状であるが、図８、図９に示すように、一部に外周縁から内周に向かって凹状に切欠かれる切欠き部６５、切欠き部７５および切欠き部７７が形成されている。第１基板１７と第２基板２５とは、コネクタ２６によって接続されている。図２に示す例では、第１基板１７の背面である第２面２７にコネクタ２６のソケット側が固定されている。また、第２基板２５の第１基板１７と対面する第３面２８側にコネクタ２６の端子ピン側が固定されている。コネクタ２６の端子ピンがソケット（第１基板１７側）に挿入されることによって、第２基板２５は、第１基板１７に保持されると共に、第１基板１７と第２基板２５との間の電気的接続が行われる。コネクタ２６は、ソケット側を第２基板２５に固定し、端子ピン側を第１基板１７に固定するようにしてもよい。
【００２３】
第２基板２５の第３面２８の背面である第４面２９には、電源である充電可能なリチウム二次電池３０が実装されている。リチウム二次電池３０は扁平の円筒形状を呈している。リチウム二次電池３０の中心Ｐ１は、中心軸Ｐに対して偏心した位置に実装されている。リチウム二次電池３０が偏心して配置されることで、第４面２９には、リチウム二次電池３０の偏心方向と反対側にスペース２９Ａが形成される（図８（Ｂ）参照）。リチウム二次電池３０は、２本の電池端子７８，７９（図８参照）によって、第２基板２５に電気的に接続されると共に第２基板２５に固定される（図８参照）。なお、電源としては、リチウム二次電池３０に限定されない。リチウム二次電池３０よりも小型で高容量のものを適宜選択して使用することが可能である。また、図２では省略しているが、第２基板２５の前方側の第３面２８には、複数種類の回路素子が実装されている。これら回路素子の構成については、図９を参照して後述する。
【００２４】
第２基板２５の外周側面からその後方に亘って、電源保持用枠部材３３が配置されている。電源保持用枠部材３３は、リチウム二次電池３０を装着することができる円形の孔部３４を有する。したがって、リチウム二次電池３０は、外周の大部分を周方向に沿って電源保持用枠部材３３に囲まれている。孔部３４の中心位置は、リチウム二次電池３０の中心Ｐ１と同一である。なお、電源保持用枠部材３３には、図１０に示すように、孔部３４の途切れた途切れ部３４Ａが形成されている。途切れ部３４Ａは、孔部３４の中心に対して中心角９０度程度である。そのため、電源保持用枠部材３３に途切れ部３４Ａが形成されていても、電源保持用枠部材３３は、孔部３４に装着したリチウム二次電池３０を径方向において位置決めすることができる。途切れ部３４Ａは、孔部３４の中心に対して中心角１８０未満であればリチウム二次電池３０の径方向の位置決めを行うことができる。また、中心角が１６０度以下であれば、好適に径方向の位置決めを行うことができる。途切れ部３４Ａを形成することで、形成しない場合に比べて中心軸Ｐに対するリチウム二次電池３０の偏心量を大きくすることができる。
【００２５】
電源保持用枠部材３３には外周部に、前方に向かって延出され第１基板１７に当接する突起部３５が形成されている。突起部３５の先端部３５Ｆは、第１基板１７に当接し、第１基板１７の電源保持用枠部材３３に対して後方への位置決めを行う。突起部３５は、図８（Ａ）に示すように、３５Ａ，３５Ｂ，３５Ｃ，３５Ｄ，３５Ｅとして５か所に配置されている。突起部３５は、第１基板１７の前後方向の位置を規定すると共に、第２基板２５の径方向の位置を規定することが可能となっている。電源保持用枠部材３３は、外装筐体３の内側に取り付けたり、取り外したりできるように嵌め込まれている。
【００２６】
図２に示すように、外装筐体３は、光拡散板２と対向するように配置された底部３６と、底部３６の外周縁から光拡散板２に向かって延出された外装筐体側壁部４を有している。外装筐体側壁部４は、光拡散板２を固定する機能を有する。また、光拡散板２と外装筐体３とで形成される空間内に導光板１４、第１基板１７、第２基板２５およびリチウム二次電池３０などが収容される。光拡散板２には、光拡散板２の外周縁の内側から外装筐体３（第１基板１７側後方）に向かって光拡散板側壁部３８が設けられている。光拡散板２と光拡散板側壁部３８とは同一材料で一体に形成されている。
【００２７】
図２に示すように、外装筐体３に光拡散板２を取り付けた状態で、外装筐体３の外装筐体側壁部４と、光拡散板２の光拡散板側壁部３８とが重なる位置には、固定用係合部８０が設けられている。固定用係合部８０は、外装筐体側壁部４の内周側に設けられた凹部３９と、光拡散板側壁部３８の外周側に設けられた凸部４０とで構成されている。この凹部３９と凸部４０を係合することによって、光拡散板２と外装筐体３とが光拡散板側壁部３８および外装筐体側壁部４を介して一体化される。なお、外装筐体３側に凸部を設け、光拡散板２側に凹部を設けるようにしてもよい。第１基板１７は、光拡散板２の光拡散板側壁部３８の先端部４１と電源保持用枠部材３３の突起部３５の先端部３５Ｆ（３５Ａ〜３５Ｅの各先端部）とによって押圧された状態で挟み込まれることにより固定される。なお、図２で示す光拡散板２と外装筐体３との取り付け構造では、外装筐体３に光拡散板側壁部３８を押し込むことで、凹部３９と凸部４０とを係合することが可能である。本実施の形態では、外装筐体３は、たとえば、アルミニウム等の金属で形成され、光拡散板２は樹脂で形成されている。そのため、外装筐体３に光拡散板側壁部３８を押し込む際に、光拡散板２に対して光拡散板側壁部３８が撓むことができ、光拡散板側壁部３８を外装筐体側壁部４内に押し込むことができる。また、凹部３９および凸部４０に替えてバヨネット構造によって、外装筐体３に光拡散板２を取り付けたり、取り外したりすることが可能な構造としてもよい。なお、外装筐体３は、金属製としてもよいが、プラスチックなどの樹脂の成形品としてもよい。この場合には、金属製に比べて撓み性を持たせることができるため、光拡散板２との一体化を容易に行えると共に、光拡散板側壁部３８を外装筐体３に容易に押し込むことができる。つまり、凹部３９と凸部４０とを係合させ易くするこことができる。また、照明装置１の軽量化を図ることができる。
【００２８】
また、光拡散板２の外周側面４２の後端部分の直径と外装筐体３の外周側面部４３の前端部の直径は、ほぼ同じである。そのため、外装筐体３に光拡散板２を取り付けた状態で、外周側面４２と外周側面部４３とは同一周面上に配置される。外装筐体３の外周側面部４３には、凹部４４が設けられていて、この凹部４４内にシール用リング部材５が装着されている。シール用リング部材５は、シリコンゴムなどの伸縮可能で弾性を有する材料で成形されている。また、外装筐体３の底部３６の外側の凹部３６Ａには、磁性材料で形成された板部材４５が取り付けられている。磁性材料としては、永久磁石または永久磁石に吸着可能な鉄などを用いる。この板部材４５は、照明装置１を磁性材料からなる取付け対象物に磁力を利用して取り付けるために設けられている。板部材４５が永久磁石であり取付け対象物が鉄など磁性材料である場合、または、板部材４５が鉄などの磁性材料であり取付け対象物が永久磁石である場合がある。板部材４５に代えて、たとえば、クリップなどのような装着具を取り付けるようにしてもよい。
【００２９】
第２光出射面１６は、図１，２，１１に示すように、中心軸Ｐ側から順に、頂面７と接続面４８と外周側面４２とを有し、全体として前方に凸面を向ける面であり、中心軸Ｐから外周側面４２に亘って変曲点を有しない（角がない）面である。頂面７は、平面か、前方に凸面を向ける曲面で形成することができる。本実施の形態では曲面で形成されている。頂面７と外周側面４２とは、接続面４８により接続されている。接続面４８は、中心軸Ｐから離れる側が後方に傾斜する斜面４８Ａと、第２光出射面１６よりも後方に曲率中心を有する曲面４８Ｂとを有し、頂面７と外周側面４２とを連続的に接続している。また、光拡散板２の第２光入射面１５は頂面７と略同一の曲面で形成されている。光拡散板２の第２光入射面１５と導光板１４の第１光出射面１３との間には空間２Ａが設けられている。なお、第２光入射面１５は、曲面ではなく平面としてもよい。光拡散板２には、光散乱粒子が多数含有される光散乱導光体が用いられている。光拡散板２に光散乱導光体を用いることで、光拡散板２内に入射した光が光散乱粒子で散乱され、第２光出射面１６から出射する光の照度分布の均一化を図ることができる。また、外装筐体３の底部３６の外側面の形状は、光拡散板２の第２光射出面１６の形状と略同じとしている。
【００３０】
光拡散板２には、光拡散板側壁部３８と第２光入射面１５との接続部の内側に第２光入射面１５よりも後方に向けて突出した段部４７が全周に亘って形成されている。この段部４７と第１基板１７とで、導光板１４の前後方向（厚み方向）への移動を規制している。なお、段部４７が第２入射面１５とつながる端面４７Ａは、第２光入射面１５の一部である。つまり、端面４７Ａからも導光板１４の第１光出射面１３から出射した光が光拡散板２内に入射する。
【００３１】
導光板１４の外周の縁部には、背面１９から切欠き状の凹部５０Ａ、５０Ｂが設けられている。ＬＥＤ光源９は、凹部５０Ａ、５０Ｂのそれぞれの内側に配置される。凹部５０Ａ、５０Ｂの内側の側面のうち中心軸Ｐの周方向および径方向に交差する面が第１光入射面１２となっている（図３参照）。ＬＥＤ光源９と導光板１４の第１光入射面１２との隙間５０Ｃは、ＬＥＤ光源９から出射される光を効率よく第１光入射面１２に入射させる目的で、可能な限り小さくすることが好ましい。ＬＥＤ光源９の外側を含め導光板１４の外周側面１４Ａ（図４も参照する）の外側には光反射部材としての光反射用枠体５１が配置されている。光反射用枠体５１は、内周面を反射面５１Ａ（図４も参照する）とした円筒形を有している。光反射用枠体５１の反射面５１Ａは、たとえば、白色塗装をすること、もしくは、アルミニウムを蒸着することで形成することができる。あるいは、光反射用枠体５１自体を鏡面処理された金属にて形成してもよい。光反射用枠体５１の前後方向の幅５１Ｂ（図１０参照）は、導光板１４の前後方向の幅（導光板１４の厚さ）１４Ｂ（図３，１０参照）よりも狭い。本実施の形態では、幅５１Ｂは、凹部５０Ａ，５０Ｂの前後方向の幅５０Ｄ（図３参照）と略同一としている。
【００３２】
光反射用枠体５１の内周の前端縁には、内側に突出する片部である光遮蔽部５３Ａ，５３Ｂが設けられている。図２に示すように、この光遮蔽部５３Ａ，５３Ｂは、ＬＥＤ光源９の前方（導光板１４の第１光出射面１３側）を通って導光板１４の第１光入射面１２に向かって延出され、ＬＥＤ光源９から出射した光を凹部５０Ａ，５０Ｂの前側の前面５４Ａ，５４Ｂに入射しないように遮光する。光反射用枠体５１の内周径は、導光板１４を内挿できる寸法に設定されている。本実施の形態では、光反射用枠体５１の内周径と導光板１４の外周径とを同じになるように設定しながら、光反射用枠体５１の内周に導光板１４を挿入できるように光反射用枠体５１の内周径が設定されている。上述したように、光反射用枠体５１の前後方向の幅５１Ｂは、導光板１４の前後方向の幅１４Ｂよりも狭い。そのため、光反射用枠体５１の内周に導光板１４を挿入した状態で、光反射用枠体５１の前方から導光板１４の一部分が突出部１４Ｃとして突出する。突出部１４Ｃの側面である第３光出射面１４Ｄは、導光板１４内の光を導光板１４の外側に出射させることができる。
【００３３】
導光板１４が光反射用枠体５１の内側に配置されると、光反射用枠体５１の反射面５１Ａは導光板１４の外周側面１４Ａの外側に配置される。また、導光板１４が光反射用枠体５１の内側に配置された状態で、光遮蔽部５３Ａは、ＬＥＤ光源９と、凹部５０Ａの前面５４Ａとの間に配置される。また、光遮蔽部５３Ｂについても、ＬＥＤ光源９と、凹部５０Ｂの前面５４Ｂとの間に配置される。
【００３４】
外周側面１４Ａの外側に光反射用枠体５１の反射面５１Ａが配置されることで、導光板１４内に入射された光が外周側面１４Ａから外部に漏れる光量を減らすことができる。これにより、第１光入射面１２から導光板１４内に入射した光が第２光出射面１６から出射する効率が向上する。なお、光反射用枠体５１の内周径と導光板１４の外周径との差を０とすることで、光反射用枠体５１の反射面５１Ａと導光板１４の外周側面１４Ａとが全周に亘って接する。そのため、導光板１４の外周側面１４Ａと光反射用枠体５１の反射面５１Ａとの間の距離が導光板１４の全周に亘って一定となる。これにより、第２光出射面１６から出射する光の輝度分布の均一化を図ることができる。ところで、光拡散板２の第２光出射面１６のＬＥＤ光源９の前方に当たる部分（光源前方部分）は、他の部分に比べてＬＥＤ光源９との距離が近いため、輝度が高く輝度斑の原因となり易い。そこで、ＬＥＤ光源９と、前面５４Ａとの間に光遮蔽部５３Ａを配置し、また、ＬＥＤ光源９と、前面５４Ｂとの間に光遮蔽部５３Ｂを配置することで、前面５４Ａ，５４Ｂに入射する光の光量を減らすことができ、輝度斑の発生を抑制できる。なお、光遮蔽部５３Ａ，５３ＢのＬＥＤ光源９側の面を光反射面とすることで、導光板１４内に入射する光の光量を増やすことができ、光の利用効率を向上させることができる。
【００３５】
なお、導光板１４に、光散乱粒子を多数含有させ、導光板１４に光散乱機能を持たせる構成とすることもできる。凹部５０Ａ，５０Ｂの内側側面のうち、ＬＥＤ光源９の前方に位置する前面５４Ａ，５４Ｂの部分において導光板１４の厚さは薄くなる。そのため、凹部５０Ａ，５０Ｂ内に配置されたＬＥＤ光源９から出射し、前面５４Ａ，５４Ｂから導光板１４内に入射した光は、凹部５０Ａ，５０Ｂの第１光入射面１２から導光板１４内に入射した光に比べて十分な散乱が行われないまま第１出射面１３から出射する虞があり輝度斑の原因となり易い。したがって、ＬＥＤ光源９と、前面５４Ａとの間に光遮蔽部５３Ａを配置し、また、ＬＥＤ光源９と、前面５４Ｂとの間にも光遮蔽部５３Ｂを配置することで、前面５４Ａ，５４Ｂに入射する光の光量を減らすことができ、輝度斑の発生を抑制できる。
【００３６】
次いで、導光板１４の構成を、図３を参照して説明する。図３は、導光板１４を示す図であり、（Ａ）は斜め後方側（背面側）から見た斜視図、（Ｂ）は背面１９側（後方）から見た背面図である。導光板１４は、光透過率が高いアクリル系樹脂製の円盤であり、背面１９には柱状突起部２２，２３が設けられている。柱状突起部２２，２３は、中心軸Ｐを挟んで配置されている。柱状突起部２２，２３を、第１基板１７に設けられた貫通孔２０，２１（図２、図５参照）に挿通することで、導光板１４と第１基板１７との相対的な位置が規定される。
【００３７】
導光板１４の外周の縁部には、背面１９から切欠き状の凹部５０Ａ，５０Ｂが設けられている。切欠き状の凹部５０Ａ，５０Ｂは、図３（Ｂ）に示すように、中心軸Ｐを挟む位置に配置されている。凹部５０Ａ，５０Ｂそれぞれの内部にＬＥＤ光源９が配置される（図３（Ｂ）において点線で図示している）。ＬＥＤ光源９は、図２および図５（Ａ）に示すように第１基板１７の第１面１８に実装されている。また、ＬＥＤ光源９の前方側（前面５４Ａ，５４Ｂ側）には、光反射用枠体５１の光遮蔽部５３Ａ，５３Ｂが配置される（図３（Ｂ）において二点鎖線で図示している）。凹部５０Ａ，５０Ｂの内側の側面は、第１光入射面１２である。つまり、凹部５０Ａ、５０Ｂの内側の側面のうち中心軸Ｐの周方向および径方向に交差する面が第１光入射面１２となる。ＬＥＤ光源９から出射した光は、中心軸Ｐの周方向で交差する２つの第１光入射面１２と径方向に交差する１つの第１光入射面１２との３つの第１光入射面１２から導光板１４内に入射する。
【００３８】
続いて、スイッチ部材６およびスイッチ部材周辺の構成について図４を参照して説明する。
【００３９】
図４は、図１のＢ−Ｂ切断線で切断した断面図である。なお、Ｂ−Ｂ切断線は、中心軸Ｐとスイッチ部材６の配置部を通る切断線である。スイッチ部材６は、Ｂ−Ｂ切断線に直交する断面が円形で柱状の押し動部５８と、鍔部５９と、スイッチ素子６０を押圧する押圧部６１とを有している。スイッチ部材６の全体形状は、図１０を参照する。押し動部５８は、外装筐体３の外装筐体側壁部４に設けられた孔部６２に挿入され、外装筐体側壁部４の内外を貫通し、外装筐体側壁部４の内外方向（径方向）に移動可能となっている。鍔部５９は、外装筐体３の外装筐体側壁部４と、電源保持用枠部材３３の側壁部３３Ａの間に挟まれ保持されている。側壁部３３Ａは、電源保持用枠部材３３の外周面に形成された凹部３３Ｂの底部である。つまり、鍔部５９は、凹部３３Ｂ内に嵌め込まれた状態で、外装筐体側壁部４と側壁部３３Ａとの間に挟み込まれる。スイッチ部材６を外側方向から内側方向に押すことによって、押圧部６１がスイッチ素子６０のセンサー部６３（図５、図８も参照する）を押圧する。スイッチ素子６０は、プッシュ型の感圧センサーあって、スイッチ部材６からセンサー部６３に加えられた圧力を検出するとスイッチ入力（スイッチＯＮ）が可能となるものを使用している。
【００４０】
外装筐体３の外装筐体側壁部４には、シール用リング部材５がスイッチ部材６をシール用リング部材５の内側に配置するように装着されている。シール用リング部材５は、比較的軟らかく、伸縮可能なシリコーンなどの樹脂やゴム系材料などで成形されていて、シール用リング部材５の外側からスイッチ部材６を押すことが可能になっている。シール用リング部材５は、スイッチ部材６と外装筐体側壁部４の孔部６２の隙間から、水分や塵などが内部に浸入することを防ぐ機能を有する。スイッチ素子６０は、第１基板１７の第２面２７に実装されている。また、第１基板１７の第２面２７には、スイッチ素子６０から離れた位置（本実施の形態では中心軸Ｐを挟んだ位置）にスイッチ素子６４が実装されている。このスイッチ素子６４は、製造工程用のものであって、たとえば、検査などで使用される。スイッチ素子６０およびスイッチ素子６４は、同じものを使用することが可能である。なお、第２基板２５には、スイッチ部材６の移動を妨げないように、切欠き部６５が設けられている。第１基板１７にも切欠き部６５とほぼ同じ位置に切欠き部６６が設けられている。つまり、切欠き部６５の内側にセンサー部６３を配置すると共に、スイッチ部材６の押圧部６１についても切欠き部６５の内側に配置する構成となっている。このように構成することで、スイッチ部材６がスイッチ素子６０に向けて移動されたときに、第２基板２５がスイッチ部材６に干渉しない。第１基板１７にも切欠き部６５とほぼ同じ位置に前後方向で重なる位置に切欠き部６６が設けられている。切欠き部６６が設けられることで、スイッチ部材６がスイッチ素子６０側に移動されたときに、第１基板１７がスイッチ部材６に干渉しないようにすることができる。
【００４１】
図４に示すように、第１基板１７の第２面２７には、複数種類の回路素子群Ｃ１が実装されていて、第２基板２５の第３面２８には、複数種類の回路素子群Ｃ２が実装されている。図４には、回路素子群Ｃ１，Ｃ２の一部が記載されている。スイッチ素子６０，６４の第１基板１７における配置および他の回路素子などの配置構成は、図５（Ｂ）および図６を参照して説明する。
【００４２】
図５は、第１基板１７の構成を示す図で、（Ａ）は、第１基板１７を前方から見た正面図、（Ｂ）は、後方から見た背面図、（Ｃ）は、側面図である。なお、図５（Ｂ）に記載される回路素子は、スイッチ素子６０，６４、コネクタ２６およびコネクタ７０のみを記載し、他の回路素子の構成は、図６を参照して後述する。図５（Ａ）に示すように、第１基板１７の第１面１８には、２つのＬＥＤ光源９が実装されていて、さらに、２つの貫通孔２０，２１が設けられている。ＬＥＤ光源９は、中心軸Ｐを挟んで配置され、貫通孔２０，２１も中心軸Ｐを挟んで配置されている。貫通孔２０は円形であり、貫通孔２１は、貫通孔２０と貫通孔２１を結ぶ直線方向に長い長孔としている。貫通孔２１は、導光板１４に設けられた２本の柱状突起部２２，２３の中心距離のばらつきを吸収するために設けられている。なお、第１基板１７には、スイッチ素子６０が実装される位置の外周側の部分に切欠き部６６が形成されている。切欠き部６６が形成されることで、スイッチ部材６が押され移動したときに、第１基板１７の縁部がスイッチ部材６と干渉することを防止できる。
【００４３】
図５（Ｂ）に示すように、第１基板１７の第２面２７には、スイッチ素子６０，６４、と、コネクタ７０が実装されている。コネクタ７０は、たとえば、外部のＵＳＢ端子と接続するＵＳＢソケットなどである。よって、以降、コネクタ７０をＵＳＢソケット７０と記載する。ＵＳＢソケット７０は、外側に向かう開口部７３（図７参照）を有している。図５（Ｂ）に示す例では、ＵＳＢソケット７０は、中心軸Ｐを回転中心として、スイッチ素子６０、６４の配置位置からそれぞれ９０度逆方向に回転した位置に配置されている。スイッチ素子６０は、センサー部６３が、切欠き部６６に向かって突設されている。第１基板１７の第２面２７に実装されている回路素子群Ｃ１の配置構成は図６を参照して説明する。
【００４４】
図６は、第１基板１７の第２面２７に実装されている回路素子群Ｃ１の配置構成を示すレイアウト図である。図６に示すように、第１基板１７の第２面２７に実装されている回路素子は、スイッチ素子Ｓ２０１，Ｓ２０２、コンデンサＣ２０１〜Ｃ２１０、抵抗Ｒ２０１〜Ｒ２０９、ＩＣチップＵ２０２〜Ｕ２０４、ＦＥＴ（マイクロコンピュータを含む）Ｑ２０１，Ｑ２０２およびコネクタＪ２０１，Ｊ２０２、情報記憶手段などで構成されている。これらの回路素子は、不図示の配線によって接続されている。なお、スイッチ素子Ｓ２０１，Ｓ２０２は、各々前述したスイッチ素子６４とスイッチ素子６０である。また、コネクタＪ２０１，Ｊ２０２は、各々前述したＵＳＢソケット７０とコネクタ２６である。なお、第１基板１７に実装されるコネクタ２６（Ｊ２０２）は、コネクタのソケット側（本体側）である。また、ＩＣチップＵ２０２は加速度センサー７１であり、ＩＣチップＵ２０３はホールセンサー（磁場センサー）７２である。加速度センサー７１は、たとえば、照明装置１に所定の加速度が与えられたときに点灯したり、消灯したりすることを可能にするものである。また、ホールセンサー７２は、所定の磁気を検出した場合に、照明装置１を点灯したり、消灯したりすることを可能にするものである。
【００４５】
続いて、ＵＳＢソケット７０の配置構成について図７を参照しながら説明する。
【００４６】
図７は、図１のＣ−Ｃ切断線で切断した断面図である。Ｃ−Ｃ切断線は、中心軸ＰとＵＳＢソケット７０の配置部を通る切断線である。ＵＳＢソケット７０は、第１基板１７の第２面２７に実装されている。第１基板１７および第２基板２５を組み立てたときに、ＵＳＢソケット７０は、第２基板２５に設けられた切欠き部７５の内部に配置される。このため、ＵＳＢソケット７０は、第２基板２５に当たらない。ＵＳＢソケット７０は、周知の構造のものを使用することが可能で、詳しい説明は省略するが、開口部７３は、外装筐体３の外装筐体側壁部４の外側に臨んでいる。したがって、外装筐体３の外側からＵＳＢ端子（図示は省略）を差し込んだり、開口部７３から抜き出したりできるようになっている。図７は、ＵＳＢソケット７０からＵＳＢ端子が抜き出された照明装置１を使用する状態を示していて、ＵＳＢソケット７０の開口部７３には、シール用リング部材５に形成された凸部７６が挿入されている。ＵＳＢソケット７０の開口７３の形状と、シール用リング部材５の凸部７６の形状は同じであって、ＵＳＢソケット７０の内部に水分や塵などが浸入しないようにしている。
【００４７】
不図示のＵＳＢ端子は、外部の制御部（たとえば、ＰＣなど）と接続し、ＵＳＢソケット７０を介して、照明装置１の点灯に関する情報を回路素子群Ｃ１に備えられる情報記録手段（たとえば、ＥＥＰＲＯＭ）に入力したり、リチウム二次電池３０に充電用電力を印加できるようになっている。点灯に関する情報としては、たとえば、連続点灯、所定の周期での点滅、照度の切り換えや蝋燭（ロウソク）のような揺らぎ点灯などに関するものがある。
【００４８】
また、ＬＥＤ光源９を構成するＬＥＤ素子の一つ一つは、白色ＬＥＤ素子であって、マイクロコンピュータからの情報に基づき発光が制御される。なお、ＬＥＤ素子として、赤色ＬＥＤ素子、緑色ＬＥＤ素子および青色ＬＥＤ素子を個別に使用することも可能であり、赤色ＬＥＤ素子、緑色ＬＥＤ素子および青色ＬＥＤ素子がひとつにパッケージされたタイプのＬＥＤランプを用いることも可能である。外部から入力された各色のＬＥＤ素子の点灯に関する情報を回路部の情報記憶手段にメモリしておけば、照明装置１は、各色のＬＥＤ素子の発光を制御でき、また、各色のＬＥＤ素子から発行される光を混ぜ、混色された色の光の発光を行うことができる。
【００４９】
続いて、図８および図９を参照しながら第２基板２５の構成について説明する。
【００５０】
図８は、第２基板２５の構成を示す図で、（Ａ）は、第２基板２５を前面から見た正面図、（Ｂ）は、後方から見た背面図、（Ｃ）は、側面図である。なお、図８（Ａ）は、回路素子群Ｃ２の図示を省略している。第２基板２５の第３面２８に実装されている回路素子の配置構成は図９を参照して説明する。図８（Ａ）に示すように、第２基板２５の外周部には、切欠き部６５，７５，７７が設けられている。図５に示したように、第１基板１７の第２面２７側にはスイッチ素子６０，６４およびＵＳＢソケット７０が実装されている。コネクタ２６により第１基板１７に第２基板２５が保持された状態で、切欠き部７５の内側には、ＵＳＢソケット７０が配置され、切欠き部６５の内側には、スイッチ素子６０が配置されている。なお、スイッチ素子６０のセンサー部６３は、切欠き部６５の側面６５Ａよりも外側に突出している。
【００５１】
図２に示したように、電源保持用枠部材３３には、第１基板１７を前方側に支持する突起部３５が設けられている。突起部３５の先端部３５Ｆは、第１基板１７の第２面２７に当接し、光拡散板２の光拡散板側壁部３８の先端部４１との間に第１基板１７を挟持する。この突起部３５の配置について図８（Ａ）を参照して説明する。図８（Ａ）に示す例では、突起部３５は、５つの突起部３５Ａ，３５Ｂ，３５Ｃ，３５Ｄ，３５Ｅを有し、第１基板１７の第２面２７に５か所で当接する。５つの突起部３５Ａ〜３５Ｅは、第１基板１７が光拡散板２の光拡散板側壁部３８の先端部４１によって後方に押圧されたときに、第１基板１７が前後方向に傾斜しないようにバランス良く支持できるように配置されている。具体的には、スイッチ素子６０の両側に突起部３５Ａ，３５Ｂが配置され、また、ＵＳＢソケット７０の両側に突起部３５Ｃ，３５Ｄが配置され、そして、中心軸Ｐに対して突起部３５Ａ〜３５Ｄの反対側に突起部３５Ｅが配置されている。第２基板２５には、切欠き部６５，７５，７７が形成されている。切欠き部６５は、突起部３５Ａ，３５Ｂを切欠き部内に配置するように形成され、また、切欠き部７５は、突起部３５Ｃ，３５Ｄを切欠き部内に配置するように形成されている。さらに、切欠き部７７は、突起部３５Ｅを切欠き部内に配置するように形成されている。切欠き部６５，７５，７７の内側の縁部と突起部３５Ａ〜３５Ｅとは、第２基板２５の径方向の移動を規制するように互いに当接している。また、第２基板２５は、コネクタ２６（図２参照）の接続によっても第１基板１７に対して径方向の位置が規定されている。
【００５２】
図８（Ｂ）に示すように、第２基板２５の第４面２９側には、リチウム二次電池３０が実装されている。リチウム二次電池３０は、上述したように、リチウム二次電池３０の中心Ｐ１が中心軸Ｐに対して偏心された位置に実装されている。リチウム二次電池３０が偏心して配置されることで、第４面２９には、リチウム二次電池３０の偏心方向と反対側にスペース２９Ａが形成される（図８（Ｂ）参照）。このスペース２９Ａに切欠き部７５を形成し、ＵＳＢソケット７０を配置することができる。したがって、リチウム二次電池をリチウム二次電池３０の中心を中心軸Ｐに一致させて配置した場合に比べて、外装筐体３内の収納空間を効率的に使うことができる。リチウム二次電池３０は、２本の電池端子７８，７９を有していて、電池端子７８，７９が、第２基板２５の背面（第４面２９）に設けられている不図示の電源配線に接続固定される。第２基板２５の第３面２８に実装されている回路素子の配置構成は図９を参照して説明する。
【００５３】
図９は、第２基板２５の第３面２８に実装される回路素子群Ｃ２の配置構成を示すレイアウト図である。図９に示すように、第２基板２５に実装される回路素子群Ｃ２は、コンデンサＣ１０１〜１０５Ｃ、抵抗Ｒ１０１〜Ｒ１０８、抵抗Ｒ１１１〜Ｒ１１４、ＩＣチップＵ１０１、ダイオードＤ１０１〜Ｄ１０３、コネクタＪ１０１、ＦＥＴ（トランジスタ）Ｑ１０１および温度センサーＴＨ１０１などから構成されている。なお、コネクタＪ１０１は、コネクタ２６の端子ピン側であって、第１基板１７側に実装されている本体側（コネクタＪ２０２）に挿し込むことで、第１基板１７と第２基板２５が電気的に接続されるようになっている。温度センサーＴＨ１０１は、照明装置１内の温度を検出し、所定温度以上であれば点灯を中止（消灯）し、所定温度範囲内であれば点灯を可能にする機能を有する。
【００５４】
次に、照明装置１の組立構成について図１０を参照しながら説明する。
【００５５】
図１０は、照明装置１の組立分解斜視図である。照明装置１の組み立て順に説明する。図１〜図９も参照する。まず、外装筐体３の凹部３６Ａ内に磁性材料などから形成された板部材４５を取り付けておく。なお、板部材４５は、組立最終工程で取り付けてもよく、また、板部材４５を備えない構成としてもよい。次いで、外装筐体３の内側に電源保持用枠部材３３を装着する。次に、スイッチ部材６を凹部３３Ｂの前方の開口部から凹部３３Ｂと外装筐体側壁部４との間に装着する。この際、スイッチ部材６の押し動部５８を外装筐体３の孔部６２に挿入する。次いで、第２基板２５および第１基板１７を外装筐体３の内側に装着する。第２基板２５および第１基板１７は、外装筐体３の内側への装着に先だって、コネクタ２６（図２参照）により互いに接続し一体としておく。第１基板１７と第２基板２５とは、切欠き部７５の内側にＵＳＢソケット７０を配置させ、また、切欠き部６５の内側にスイッチ素子６０を配置させるように互いに位置合わせされた状態で、コネクタ２６により接続し一体とされる。
【００５６】
そして、第２基板２５の切欠き部６５の内側に電源保持用枠部材３３の突起部３５Ａ，３５Ｂを配置し、また、切欠き部７５の内側に突起部３５Ｃ，３５Ｄを配置し、さらに切欠き部７７の内側に突起部３５Ｅを配置するように（図８（Ａ）参照）、第１基板１７および第２基板２５を外装筐体３に装着させる。第２基板２５および第１基板１７は、突起部３５Ａ〜３５Ｅに第１基板１７の第２面２７が当接するまで外装筐体３の内側に挿入される。なお、突起部３５Ａ，３５Ｂは、スイッチ素子６０と干渉しない位置に配置されている。また、突起部３５Ｃ，３５Ｄも、ＵＳＢコネクタ７０と干渉しない位置に配置されている。なお、第２基板２５には、前述した回路素子群Ｃ２およびリチウム二次電池３０が予め実装されている（図８、図９参照）。また、第１基板１７には、前述した回路素子群Ｃ１およびＬＥＤ光源９が予め実装されている（図５、図６参照）。
【００５７】
次いで、光反射用枠体５１の内側に導光板１４を挿嵌する。この際、光遮光部５３Ａ，５３Ｂを導光板１４の凹部５０Ａ，５０Ｂ内に配置させる。そして、導光板１４を光反射用枠体５１に嵌挿させた状態で第１基板１７に装着する。第１基板１７の貫通孔２０，２１に導光板１４の柱状突起部２２，２３を挿入し、導光板１４を第１基板１７に装着する。柱状突起部２２，２３を貫通孔２０，２１にすることで、導光板１４の第１基板１７に対する径方向および中心軸Ｐの周方向への位置決めが行われる。続いて、光拡散板２の光拡散板側壁部３８を外装筐体３の外装筐体側壁部４の内周に押し込み凹部３９と凸部４０（図２参照）とを係合させ、光拡散板２を外装筐体３に取り付ける。なお、第１基板１７と第２基板２５とはコネクタ２６により接続できる。また、光反射用枠体５１に嵌挿された導光板１４は、柱状突起部２２，２３を第１基板１７の貫通孔２０，２１に挿入することで、導光板１４および光反射用枠体５１を第１基板１７に装着できる。したがって、第２基板２５、第１基板１７、導光板１４および光反射用枠体５１をユニット化した状態で、電源保持用枠部材３３に装着することができる。
【００５８】
さらに、外装筐体３の外装筐体側壁部４の凹部４４にシーリング用リング部材５を装着する。その際、ＵＳＢソケット７０の開口部７３に、シーリング用リング部材５の凸部７６を挿入する。なお、ＵＳＢソケット７０にＵＳＢ端子を装着するときには、シーリング用リング部材５を取り外せばよい。
【００５９】
続いて、ＬＥＤ光源９から出射した光が、光拡散板２の第２出射面１６から出射するまでの光の経路について図１１を参照して説明する。
【００６０】
図１１は、ＬＥＤ光源９から出射した光が、光拡散板２の第２光出射面１６から出射するまでの光の経路の１例を示す説明図である。図示左側のＬＥＤ光源９から出射した光の一部は、第１光入射面１２から導光板１４内に進入する。そして、たとえば、点線Ｌ１で示すように、導光板１４の第１光出射面１３および背面１９で全反射しながら右側に向かって進み、全反射を破ったところで、第１光出射面１３から出射される。ＬＥＤ光源９から出射された光には、第１光出射面１３および背面１９で全反射されることなく、第１光出射面１３から出射されるものもある。
【００６１】
右側のＬＥＤ光源９から出射された光は、前述した左側の経路と同様に、第１光入射面１２から導光板１４内に進入する。そして、たとえば、点線Ｌ２で示すように、導光板１４内に入射された光は、導光板１４の第１光出射面１３および背面１９で全反射されながら左側に進み、全反射を破ったところで第１光出射面１３から出射される。右側のＬＥＤ光源９から出射された光についても第１光出射面１３および背面１９で全反射されることなく、第１光出射面１３から出射されるものもある。なお、導光板１４の背面１９にアルミニウムの蒸着などを施し反射面を形成したり、あるいは、第１基板１７の第１面１８を反射面とすることで、導光板１４内から第１光出射面１３に出射する光の出射効率を向上させることができる。
【００６２】
導光板１４の第１光出射面１３から出射された光は、光拡散板２の第２光入射面１５から入射され、光拡散板２内を進行して第２光出射面１６から出射される。光拡散板２には、光散乱粒子が含有されている。そのため、光拡散板２内に入射された光が、光拡散板２内で散乱されることで、第２光出射面１６から出射する照度分布の均斉化を図ることができる。
【００６３】
また、図１０，１１に示すように、光反射用枠体５１の反射面５１Ａは、導光板１４の外周側面１４Ａの外側を全周に亘って覆っている。したがって、導光板１４の外周側面１４Ａから導光板１４の外側に出射した光は、反射面５１Ａによって導光板１４内に向けて反射され導光板１４内に戻される。これにより、光反射用枠体５１を備えない場合に比べて、導光板１４の第１光出射面１３から出射する光の光量を増加させることができる。導光板１４のうち光反射用枠体５１から前方に突出した部分である突出部１４Ｃの第３光出射面１４Ｄの部分については光反射用枠体５１により覆われていない。そのため、第３光出射面１４Ｄから出た光は、導光板１４の外側に出射する。この光は、光拡散板側壁部３８を介して主として光拡散板２の外周側面４２から出射する。つまり、第３光出射面１４Ｄから導光板１４の外側に光を出射させることで、光拡散板２の周縁の光量を増加させることができる。ＬＥＤ光源９の前方には光遮蔽部５３Ａ，５３Ｂが配置されている。すなわち、ＬＥＤ光源９と第１光出射面１３との間に光遮蔽部５３Ａ，５３Ｂが配置されている。光遮蔽部５３Ａ，５３Ｂは、ＬＥＤ光源９から前方に向かう光を遮蔽する。そのため、光拡散板１４の前方側から見たときに、ＬＥＤ光源９が、点光源のように見えてしまうことを防止できる。図３に示すように、凹部５０Ａ，５０Ｂは、全体として直方体状を呈し、内側の側面のうち、ＬＥＤ光源９に対して径方向の内側の側面と、中心軸Ｐの周方向の両側の３方向の側面とが第１光入射面１２となっている。これに対し、たとえば、凹部５０Ａ，５０Ｂを半円の円柱状とし、円弧面を第１光入射面とする構成とすることもできる。
【００６４】
以上説明した照明装置１は、外周側面１４Ａと交差する方向から光を入射させることができる第１光入射面１２と、第１光入射面１２から入射された光を正面の側に出射させる第１光出射面１３とを有する導光板１４と、第１光入射面１２に光を入射させるＬＥＤ光源９と、第１光出射面１３の側に配置され、第１光出射面１３から出射された光が入射される第２光入射面１５と、第２光入射面１５から入射した光が出射される第２光出射面１６とを有する光拡散板２とを有する。また、照明装置１は、導光板１４の外周側面１４Ａの外側に配置される光反射板部材である光反射用枠体５１と、ＬＥＤ光源９と導光板１４の第１光出射面１３との間に配置される光遮蔽部５３Ａ，５３Ｂと、導光板１４に対し光拡散板２が配置される側とは反対側に電気回路基板である第１基板１７および第２基板２５と、第１基板１７および第２基板２５を挟んで導光板１４の反対側に配置される電源であるリチウム二次電池３０と、光拡散板２に対して導光板１４、第１基板１７、第２基板２５およびリチウム二次電池３０を挟む側に配置される外装筐体３を有する。さらに、照明装置１は、光拡散板２の外周縁から外装筐体３側に向かって設けられる光拡散板側壁部３８と、外装筐体３の外装筐体側壁部４とに、それぞれ設けられる固定用係合部８０と、
を有し、光拡散板２と前記外装筐体３とにより形成される空間内に、導光板１４、ＬＥＤ光源９、光反射用枠体５１、第１基板１７、第２基板２５およびリチウム二次電池３０が収納される。
【００６５】
照明装置１は、導光板１４と、光拡散板２と、光遮蔽部材５３Ａ，５３Ｂを有する光反射用枠体５１を有しているので、ＬＥＤ光源９から出射された光を光拡散板２から輝度の均斉化を図って出射させることができる。
【００６６】
また、照明装置１は、光拡散板２と外装筐体３とにより形成される空間内に、導光板１４、ＬＥＤ光源９、光反射用枠体５１およびリチウム二次電池３０が収納され、光拡散板２と外装筐体３とが固定用係合部８０により互いに固定されている。そのため、照明装置１の小型化を図ることができる。
【００６７】
また、導光板１４は、第１光射出面１３と反対側の面である背面１９の縁部に切欠き状の凹部５０Ａ，５０Ｂを有し、凹部５０Ａ，５０Ｂの内側の側面が第１光入射面１２であり、凹部５０Ａ，５０Ｂ内にＬＥＤ光源９を配置している。
【００６８】
このような構成にすれば、ＬＥＤ光源９は、導光板１４の内側に配置されるので、照明装置１の小型化を図れる。また、凹部５０Ａ，５０Ｂの側面である第１光入射面１２を、ＬＥＤ光源９を囲む３方に設けることができるので、第１光入射面１２の光入射の有効面積が広くなり、効率よく導光板１４に光を入射することが可能となる。
【００６９】
また、照明装置１は、電気回路基板として、導光板１４の背面１９に第１面１８を重ねるように配置されると共に、第１面１８にＬＥＤ光源９が実装される第１基板１７を有し、導光板１４は、第１基板１７に向かって突設された少なくとも２つの突起部としての柱状突起部２２，２３を備え、第１基板１７は、柱状突起部２２，２３と対向する位置に凹部である貫通孔２０，２１を備え、柱状突起部２２，２３が貫通孔２０，２１に嵌合している。
【００７０】
このように、導光板１４側の柱状突起部２２，２３と第１基板１７側の貫通孔２０，２１とを嵌合させることで、厚みや平面サイズを大きくすることなく導光板１４と第１基板１７との位置を規定することが可能となる。なお、柱状突起部２２，２３を貫通孔２０，２１に貫通させない構成としてもよく、貫通孔２０，２１を凹部とし、凹部と柱状突起部２２，２３をこの凹部に嵌合させる構成としてもよい。
【００７１】
また、照明装置１は、電源であるリチウム二次電池３０を側壁部３３Ａの内側に配置する電源保持用枠部材３３を有し、電源保持用枠部材３３は、外装筐体３の内側に配設され、電気回路基板である第１基板１７側に突設された突起部３５Ａ〜３５Ｅを有している。第１基板１７は、光拡散板側壁部３８の先端部４１と、電源保持用枠部材３３の突起部３５Ａ〜３５Ｅの先端部３５Ｆとの間に挟み込まれている。このことによって、第１基板１７は、拡散板２と枠部材３３に間で移動しないように固定することができる。
【００７２】
また、光拡散板２は、光拡散板側壁部３８と第２光入射面１５との接続部の内側に、第２光入射面１５より導光板１４の側に突出した段部４７を有し、導光板１４は、段部４７と電気回路基板である第１基板１７の間に挟み込まれている。前述したように、第１基板１７は、光拡散板２と電源保持用枠部材３３で固定されている。したがって、導光板１４は、光拡散板２と第１基板１７とで固定することが可能となる。
【００７３】
また、光反射部材である光反射用枠体５１は、内側に導光板１４が配設される光反射用枠体５１であり、光反射用枠体５１の内周面は反射面５１Ａであり、反射面５１Ａは導光板１４の外周側面１４Ａに対向し、光反射用枠体５１の前端縁には光遮蔽部５３Ａ，５３Ｂが一体として形成されており、光遮蔽部５３Ａ，５３Ｂは導光板１４側に突出された片部として設けられる。光遮蔽部５３Ａ，５３Ｂは、導光板１４の凹５０Ａ，５０Ｂ部内に配置されている。
【００７４】
導光板１４の外周側面１４Ａの外側に光反射用枠体５１の反射面５１Ａが配置されることで、導光板１４内に入射された光が外周側面１４Ａから外部に漏れる光量を減らすことができる。これにより、第１光入射面１２から導光板１４内に入射した光が第２光出射面１６から出射する効率が向上する。また、ＬＥＤ光源９と、前面５４Ａとの間に光遮蔽部５３Ａを配置し、ＬＥＤ光源９と、前面５４Ｂとの間に光遮蔽部５３Ｂを配置することで、前面５４Ａ，５４Ｂに入射する光の光量を減らすことができ、輝度斑の発生を抑制できる。なお、光遮蔽部５３Ａ，５３ＢのＬＥＤ光源９側の面を光反射面とすることで、導光板１４内に入射する光の光量を増やすことができ、光の利用効率を向上させることができる。また、光反射用枠体５１と、光遮蔽部５３Ａ，５３Ｂとを一体で形成することで、部品点数の削減することができ、よって、照明装置１を組み立てる際の手順を簡略にすることや製造コストを削減することができる。
【００７５】
また、電気回路基板は、第１基板１７に対して導光板１４と反対側に所定の隙間を有して配置される第２基板２５を有し、第１基板１７と第２基板２５とはコネクタ２６により互いに固定されるとともに電気的に接続され、電源であるリチウム二次電池３０は、第２基板２５の第１基板１７が配置される側と反対側の面である背面である第４面２９に実装されている。コネクタ２６によって、第１基板１７と第２基板２５の電気的接続が得られると共に、第１基板１７に対する第２基板２５の平面方向の位置を規定することができる。なお、第２基板２５は、後方側の移動がリチウム二次電池３０によって規制されるため、電気的接続は損なわれない。
【００７６】
たとえば、光拡散板２の第２光出射面１６を単純な平面とすると、平面部と外周側面の接合部となる稜線が見えてしまう。そこで、第２光出射面１６は、中心（中心軸Ｐ１）から順に頂面７、接続面４８および外周側面４２を有し、頂面７は導光板１４の第１光出射面に対向する面であり、外周側面４２は円筒面であり、接続面４８は頂面７と外周側面４２とを接続する面であり、外装筐体３の底部３６の外側の面は、導光板１４を挟んで光拡散板２の第２光出射面１６と略対称の形状である。第２光出射面１６を、このような形状にすることで、照明装置１を光の出射方向（前方、斜め前方および側方を含む）から見たときに、どの方向に出射される光の明るさも均斉化することができる。
【００７７】
また、照明装置１は、外装筐体３の底部３６の外側の面を、拡散板２の第２光出射面１６と略同じ形状としているので、デザイン的に柔らかな雰囲気の照明装置を提供することが可能となる。このような形状の照明装置１は、手に持ったり、ポケットに入れたり、洋服などに取り付けたり、あるいは、自転車や自動車など違和感なく取り付けることが可能となる。また、机やテーブルの上においても、壁などにも違和感なく取付けることが可能となる。
【００７８】
また、照明装置１は、外装筐体３の底部３６の外側の面に、磁性材料で形成された板部材４５を取り付けている。磁性材料としては、鉄や永久磁石などを含み、取付け対象部が磁性材料であるとき、照明装置１を取付け対象物に磁力を利用して取り付けることを可能にしている。
【００７９】
なお、本発明は前述の実施の形態に限定されるものではなく、本発明の目的を達成できる範囲での変形、改良等は本発明に含まれるものである。たとえば、前述した実施の形態では、光源部としてＬＥＤ光源９を用いた場合を例示しているが、たとえば、ＣＣＦＬ（Cold Cathode Fluorescent Lamp：冷陰極蛍光管）、電球（たとえば白熱電球）や蛍光灯などを用いることが可能であって、光源の種類は限定されない。
【００８０】
また、前述した実施の形態では、電源としてリチウム二次電池３０を用いているが、電源としては、他の種類の二次電池でもよく、また、一次電池を用いることもでき、ボタン型またはコイン型の一次電池でもよい。一次電池を使用する場合には、外装筐体３の底部３６に、電池着脱機構を設けておけば、容易に電池交換が行える。
【００８１】
また、前述した実施の形態では、導光板１４の裏面１９に直接第１基板１７を配置しているが、導光板１４と第１基板１７の間に反射シートを配置するようにしてもよい。その場合、反射シートの第１基板１７側の面は絶縁物であることとする。
【００８２】
また、前述した実施の形態では、光反射部材として光反射用枠体５１を用いているが、光反射用枠体５１に替えて、たとえば、導光板１４の外周側面１４Ａに反射テープを貼着したり、アルミニウム等を蒸着する構成としてもよい。また、光遮蔽部５３Ａ，５３Ｂは、本実施の形態で示したように光反射用枠体５１と一体の構成とすることに換えて、別体で形成してもよく、凹部５０Ａおよび５０Ｂの前面５４Ａ，５４Ｂに遮光テープを貼着したり、遮光塗料を塗布してもよい。遮光テープは反射テープであってもよい。
【００８３】
また、前述した実施の形態では、第１基板１７と第２基板２５の電気的接続は、コネクタ２６で行っているが、コネクタとしては、可撓型のピン接点を有するコネクタとしてもよい。この場合、第２基板２５の後方側（第４面２９側）を、たとえば、電源保持用枠部材３３で支持するようにする。
【００８４】
また、前述の実施の形態では、電源保持用枠部材３３は、外装筺体３の内側の底部３５に直接配置されているが、電源保持用枠部材３３と外装筺体３の底部３６との間に他の部材を配置しても構わない。例えば板部材４５を外装筺体３の底部３６の外側に配置するのでは無く、電源保持用枠部材３３と外装筺体３の底部３６との間に配置するようにしてもよい。外装筺体３の底部３６の外側に板部材４５を配置しなくて良くなるため底部３６の外側の面が滑らかな単一面として構成可能となり、意匠性が向上する。また、電源保持用枠部材３３と外装筺体３の底部３６との間にクッション性を有する緩衝部材を設置するようにしてもよい。緩衝部材を設置することにより、照明装置１を製造する際に生じる上下方向の誤差に起因する内部部材（導光板１４、光反射用枠体５１、第１基板１７、第２基板２５、リチウム二次電池３０）のガタ付きを抑制することが可能となる。
【００８５】
また、前述の実施の形態では、電源保持用枠部材３３は、リチウム二次電池３０を装着することができる円形の孔部３４を有しているが、孔部３４を有底の穴部としてもよい。有底とすることで電源保持用枠部材３３の耐久性を向上させ、電源保持用枠部材３３の変形や破損を抑制することが可能となる。
【００８６】
また、前述の実施の形態では、外装筐体３の外装筐体側壁部４にシール用リング部材５を装着しているが、シール用リング部材５の替りに、クリップや吊り下げバンドなどの装着具を取り付けるようにしてもよい。ただし、ＵＥＢソケット７０の開口部７３のシーリングを可能にしておくことが好ましい。また、シール用リング部材５を、光拡散板２と外装筐体３の連結部まで延長させることで、さらに耐水性（防水性）を向上させることが可能となる。また、前述した実施の形態では、外装筐体３の底部３６に板部材４５を取り付けているが、板部材４５に代えて、クリップなどの装着具を取り付けるようにしてもよい。
【００８７】
また、前述の実施の形態では、外装筺体側壁部４の凹部３９と、光拡散板側壁部３８の凸部４０とで形成される固定係合部８０によって光拡散板２と外装筺体３とを固定しているが、固定時に外装筺体側壁部４の内周面と、光拡散板側壁部３８の外周面との間へ全周に渡って封止部材を配置してもよい。封止部材はシリコンゴムなどの伸縮可能で弾性を有し、かつ、水を浸透させない材料で形成されているため、封止部材を配置することにより、光拡散板２と、外装筺体３との隙間から照明装置１の内部へ水の浸入を防止することが可能となる。
【００８８】
また、照明装置１を複数個配列し、広い発光面積としたり、一つひとつの発光色を変えるようにしてもよい。この場合、照明装置１ごとに照明の制御をすることも、複数個まとめて制御することも可能である。
【００８９】
また、前述の実施の形態では、光拡散板２と導光板１４とを１個ずつ配置する構成としているが、電源部を挟んで反対側にさらに光拡散板２と導光板１４とを配置する構成としてもよい。この場合、固定方法として２つの光拡散板２にそれぞれ固定係合部を設けるのが好ましいが、他の固定方法を採用してもよい。
【００９０】
照明装置１の外観の形状は、例示として、前後方向に扁平な円筒状の形状であり、大きさを直径３０ｍｍ、厚さを１５ｍｍ程度としている。前後方向に扁平の形状とすることで、第２光出射面１６を前方に向けて机上等に置いたときに倒れ難くなり設置性を高くすることができる。また、直径３０ｍｍおよび厚さ１５ｍｍ程度の大きさは、手の平で容易に把持でき携帯に適した大きさである。扁平率（直径に対する厚さの比）および大きさは上記に限定されるものではない。たとえば、直径１０ｍｍ以上１００ｍｍ以下、厚さ５ｍｍ以上５０ｍｍ以下の大きさであれば携帯性は大きく損なわれない。大きさを直径２０ｍｍ以上５０ｍｍ以下、厚さを１０ｍｍ以上３０ｍｍ以下とすることで、携帯性がより好ましいものとなる。また、扁平率（直径に対する厚さの比）は、２５％以上７０％以下であれば安定した設置性を得ることができる。２５％未満となると、直径に対して薄くなりすぎ把持し難くなる。扁平率を３５％以上６０以下とすることで、把持を行い易くなると共に安定した設置性を得ることができる。
【００９１】
照明装置１は、例示として、全体として円柱状の形状としている。しかしながら、照明装置１は、円柱状に限らず、四角柱、五角形等の多角形の柱状、あるいは楕円形の柱状であってもよい。照明装置１の形状が全体として多角形の柱状または楕円の柱状であるときは、光拡散板２、外装筐体３、導光板１４、光反射用枠体５１等の形状は、照明装置１の外観の形状に合わせて、適宜の形状とする。
【符号の説明】
【００９２】
１…照明装置
２…光拡散板
３…外装筐体
４…外装筐体側壁部
７…頂面
９…ＬＥＤ光源
１２…第１光入射面
１３…第１光出射面
１４…導光板
１４Ａ…外周側面
１５…第２光入射面
１６…第２光出射面
１７…第１基板（電気回路基板）
１８…第１基板の第１面
１９…導光板の背面
２０，２１…第１基板の貫通孔（凹部）
２２，２３…導光板の柱状突起部（突起部）
２５…第２基板（電気回路基板）
２６…コネクタ
２７…第１基板の第２面（背面）
２８…第２基板の第３面
２９…第２基板の第４面（背面）
３０…リチウム二次電池（電源）
３３…外装筐体側壁部
３４…外装筐体側壁部の孔部
３５（３５Ａ〜３５Ｅ）…電源保持用枠部材の突起部
３５Ｆ…突起部の先端部
３６…外装筐体の底部
３８…光拡散板側壁部
３９…凹部（固定係合部の一部）
４０…凸部（固定係合部の一部）
４１…光拡散板側壁部の先端部
４２…拡散板の外周側面部
４５…板部材
４７…光拡散板の段部
４８…接続面
５０Ａ，５０Ｂ…（切欠き状の）凹部
５１…光反射用枠体（光反射部材）
５３Ａ，５３Ｂ…光遮蔽部
８０…固定用係合部
【図１】
2017079134.tif 000003
【図２】
2017079134.tif 000004
【図３】
2017079134.tif 000005
【図４】
2017079134.tif 000006
【図５】
2017079134.tif 000007
【図６】
2017079134.tif 000008
【図７】
2017079134.tif 000009
【図８】
2017079134.tif 000010
【図９】
2017079134.tif 000011
【図１０】
2017079134.tif 000012
【図１１】
2017079134.tif 000013